(57)【特許請求の範囲】
【請求項１】
生物の撮影の際に起こり得る危険に関し、少なくとも危険な状態における当該生物に関する危険状態情報を含む危険情報を、安全な状態における当該生物に関する安全状態情報とともに記憶する危険情報記憶部と、
撮影者が携行する携帯型端末装置によって生物を撮影対象とした撮影を行う場合に、当該携帯型端末装置から前記撮影に関する撮影関連情報を取得する撮影関連情報取得手段と、
前記撮影関連情報取得手段により取得された撮影関連情報に基づいて、前記撮影者に提供する危険情報及び安全状態情報を、前記危険情報記憶部から抽出する危険情報抽出手段と、
前記危険情報抽出手段により抽出された危険情報及び安全状態情報を、前記携帯型端末装置に対して送信する危険情報送信手段と
を備える、撮影支援装置。
【請求項２】
前記撮影関連情報には、前記撮影者の現在位置を示す位置情報が含まれており、
前記危険情報抽出手段が、前記取得された撮影関連情報に含まれる位置情報に示される撮影者の現在位置において起こり得る危険に関する危険情報を、前記危険情報記憶部から抽出するように構成されている、
請求項１に記載の撮影支援装置。
【請求項３】
前記取得された撮影関連情報に含まれる位置情報に基づいて、前記撮影者の将来位置を予測する将来位置予測手段をさらに備え、
前記危険情報抽出手段が、前記将来位置予測手段により予測された撮影者の将来位置において起こり得る危険に関する危険情報を、前記危険情報記憶部から抽出するように構成されている、
請求項２に記載の撮影支援装置。
【請求項４】
前記危険情報抽出手段が、前記撮影対象となる生物について起こり得る危険に関する危険情報を、前記危険情報記憶部から抽出するように構成されている、
請求項１乃至３の何れかに記載の撮影支援装置。
【請求項５】
前記撮影関連情報には、前記撮影により取得された生物の撮像画像が含まれており、
前記取得された撮影関連情報に含まれる撮像画像に基づいて、前記撮影対象となる生物を特定する生物特定手段をさらに備え、
前記危険情報抽出手段が、前記生物特定手段により特定した生物について起こり得る危険に関する危険情報を、前記危険情報記憶部から抽出するように構成されている、
請求項４に記載の撮影支援装置。
【請求項６】
前記危険情報記憶部が、危険状態情報として生物の危険な状態を示す第１画像情報を、安全状態情報として生物の安全な状態を示す第２画像情報をそれぞれ記憶している、
請求項１乃至５の何れかに記載の撮影支援装置。
【請求項７】
前記危険情報記憶部が、危険状態情報として生物の危険な状態を示す第１音声情報を、安全状態情報として生物の安全な状態を示す第２音声情報をそれぞれ記憶している、
請求項１乃至６の何れかに記載の撮影支援装置。
【請求項８】
前記危険情報記憶部が、前記生物の撮影の際に起こり得る危険の内容を示す情報及び当該危険についての対処方法を示す情報を含む危険情報を記憶するように構成されている、
請求項１乃至７の何れかに記載の撮影支援装置。
【請求項９】
生物の撮影の際に起こり得る危険に関し、少なくとも危険な状態における当該生物に関する危険状態情報を含む危険情報を、安全な状態における当該生物に関する安全情報とともに記憶する危険情報記憶部を備えるコンピュータが、
撮影者が携行する携帯型端末装置によって生物を撮影対象とした撮影を行う場合に、当該携帯型端末装置から前記撮影に関する撮影関連情報を取得する撮影関連情報取得工程と、
前記撮影関連情報取得工程により取得された撮影関連情報に基づいて、前記撮影者に提供する危険情報及び安全状態情報を、前記危険情報記憶部から抽出する危険情報抽出工程と、
前記危険情報抽出工程により抽出された危険情報及び安全状態情報を、前記携帯型端末装置に対して送信する危険情報送信工程と
を実行する、撮影支援方法。
【請求項１０】
前記撮影関連情報には、前記撮影者の現在位置を示す位置情報が含まれており、
前記危険情報抽出工程において、前記コンピュータが、前記取得された撮影関連情報に含まれる位置情報に示される撮影者の現在位置において起こり得る危険に関する危険情報を、前記危険情報記憶部から抽出する、
請求項９に記載の撮影支援方法。
【請求項１１】
前記コンピュータが、前記取得された撮影関連情報に含まれる位置情報に基づいて、前記撮影者の将来位置を予測する将来位置予測工程をさらに実行し、
前記危険情報抽出工程において、前記コンピュータが、前記将来位置予測工程により予測された撮影者の将来位置において起こり得る危険に関する危険情報を、前記危険情報記憶部から抽出する、
請求項１０に記載の撮影支援方法。
【請求項１２】
前記危険情報抽出工程において、前記コンピュータが、前記撮影対象となる生物について起こり得る危険に関する危険情報を、前記危険情報記憶部から抽出する、
請求項９乃至１１の何れかに記載の撮影支援方法。
【発明の詳細な説明】
【技術分野】
【０００１】
近年では、カメラ機能を備えた携帯電話機及びデジタルスチルカメラ等が普及しており、誰もが気軽に撮影を行うことが可能になっている。これに伴い、撮影者が撮影に不慣れな場合であっても、所望の写真・画像を得ることができるように、撮影を支援するための技術が種々提案されている。
【０００２】
例えば、特許文献１には、撮影地点データを登録するデータ登録手段と、その撮影地点データに基づいて所定の撮影地点に撮影者を誘導する撮影地点誘導手段とを有する撮影地点誘導機能付きカメラが開示されている。このカメラによれば、撮影に好適な地点に撮影者を誘導することができるため、好ましい写真・画像を得ることができる。
【０００３】
同様にして、特許文献２には、撮影に好適な地点に撮影者を誘導するとともに、当該地点で撮影された参照指示画像を提供して同様の構図で撮影を行うよう教示する撮影装置が開示されている。この撮影装置によれば、不慣れな撮影者であっても、好ましい構図で容易に撮影を行うことができる。
【先行技術文献】
【特許文献】
【０００４】
【特許文献１】特開２００２−２１４６８１号公報
【特許文献２】特開２００９−２３９３９７号公報
【発明の概要】
【発明が解決しようとする課題】
【０００５】
しかしながら、従来のカメラ及び撮影装置の場合のように、撮影に好適な地点に撮影者を誘導するのみ又はそれに加えて好ましい構図を教示するのみでは、必ずしも撮影を容易に行うことができるわけではない。特に、撮影対象が生物であって、撮影地点が自然の多い場所である場合では、様々な危険が起こり得るため、撮影が容易でないことが多い。そのような危険を撮影者が回避できることが望ましいが、上記の従来技術ではそのための工夫がなされていなかった。
【０００６】
本発明は斯かる事情に鑑みてなされたものであり、その主たる目的は、撮影地点において起こり得る危険について、撮影者の注意を喚起することができる撮影支援装置及び撮影支援方法を提供することにある。
【課題を解決するための手段】
【０００７】
上述した課題を解決するために、生物の撮影の際に起こり得る危険に関し、少なくとも危険な状態における当該生物に関する危険状態情報を含む危険情報を、安全な状態における当該生物に関する安全状態情報とともに記憶する危険情報記憶部と、撮影者が携行する携帯型端末装置によって生物を撮影対象とした撮影を行う場合に、当該携帯型端末装置から前記撮影に関する撮影関連情報を取得する撮影関連情報取得手段と、前記撮影関連情報取得手段により取得された撮影関連情報に基づいて、前記撮影者に提供する危険情報及び安全状態情報を、前記危険情報記憶部から抽出する危険情報抽出手段と、前記危険情報抽出手段により抽出された危険情報及び安全状態情報を、前記携帯型端末装置に対して送信する危険情報送信手段とを備える。
【０００８】
前記態様の撮影支援装置において、前記撮影関連情報には、前記撮影者の現在位置を示す位置情報が含まれており、前記危険情報抽出手段が、前記取得された撮影関連情報に含まれる位置情報に示される撮影者の現在位置において起こり得る危険に関する危険情報を、前記危険情報記憶部から抽出するように構成されていてもよい。
【０００９】
また、前記態様の撮影支援装置が、前記取得された撮影関連情報に含まれる位置情報に基づいて、前記撮影者の将来位置を予測する将来位置予測手段をさらに備え、前記危険情報抽出手段が、前記将来位置予測手段により予測された撮影者の将来位置において起こり得る危険に関する危険情報を、前記危険情報記憶部から抽出するように構成されていてもよい。
【００１０】
また、前記態様の撮影支援装置において、前記危険情報抽出手段が、前記撮影対象となる生物について起こり得る危険に関する危険情報を、前記危険情報記憶部から抽出するように構成されていてもよい。
【００１１】
また、前記態様の撮影支援装置において、前記撮影関連情報には、前記撮影により取得された生物の撮像画像が含まれており、前記取得された撮影関連情報に含まれる撮像画像に基づいて、前記撮影対象となる生物を特定する生物特定手段をさらに備え、前記危険情報抽出手段が、前記生物特定手段により特定した生物について起こり得る危険に関する危険情報を、前記危険情報記憶部から抽出するように構成されていてもよい。
【００１２】
また、前記態様の撮影支援装置において、前記危険情報記憶部が、危険状態情報として生物の危険な状態を示す第１画像情報を、安全状態情報として生物の安全な状態を示す第２画像情報をそれぞれ記憶していてもよい。
【００１３】
また、前記態様の撮影支援装置において、前記危険情報記憶部が、危険状態情報として生物の危険な状態を示す第１音声情報を、安全状態情報として生物の安全な状態を示す第２音声情報をそれぞれ記憶していてもよい。
【００１４】
また、前記態様の撮影支援装置において、前記危険情報記憶部が、前記生物の撮影の際に起こり得る危険の内容を示す情報及び当該危険についての対処方法を示す情報を含む危険情報を記憶するように構成されていてもよい。
【００１５】
本発明の一の態様の撮影支援方法では、生物の撮影の際に起こり得る危険に関し、少なくとも危険な状態における当該生物に関する危険状態情報を含む危険情報を、安全な状態における当該生物に関する安全情報とともに記憶する危険情報記憶部を備えるコンピュータが、撮影者が携行する携帯型端末装置によって生物を撮影対象とした撮影を行う場合に、当該携帯型端末装置から前記撮影に関する撮影関連情報を取得する撮影関連情報取得工程と、前記撮影関連情報取得工程により取得された撮影関連情報に基づいて、前記撮影者に提供する危険情報及び安全状態情報を、前記危険情報記憶部から抽出する危険情報抽出工程と、前記危険情報抽出工程により抽出された危険情報及び安全状態情報を、前記携帯型端末装置に対して送信する危険情報送信工程とを実行する。
【００１６】
前記態様の撮影支援方法において、前記撮影関連情報には、前記撮影者の現在位置を示す位置情報が含まれており、前記危険情報抽出工程において、前記コンピュータが、前記取得された撮影関連情報に含まれる位置情報に示される撮影者の現在位置において起こり得る危険に関する危険情報を、前記危険情報記憶部から抽出するようにしてもよい。
【００１７】
また、前記態様の撮影支援方法において、前記コンピュータが、前記取得された撮影関連情報に含まれる位置情報に基づいて、前記撮影者の将来位置を予測する将来位置予測工程をさらに実行し、前記危険情報抽出工程において、前記コンピュータが、前記将来位置予測工程により予測された撮影者の将来位置において起こり得る危険に関する危険情報を、前記危険情報記憶部から抽出するようにしてもよい。
【００１８】
また、前記態様の撮影支援方法の前記危険情報抽出工程において、前記コンピュータが、前記撮影対象となる生物について起こり得る危険に関する危険情報を、前記危険情報記憶部から抽出するようにしてもよい。
【発明の効果】
【００１９】
本発明に係る撮影支援装置及び撮影支援方法によれば、生物の撮影に起こり得る危険を撮影者に伝えることができるため、撮影者の注意を喚起することが可能になる。
【図面の簡単な説明】
【００２０】
【図１】本発明の実施の形態１に係る撮影支援システムの構成を示すブロック図。
【図２】本発明の実施の形態１に係る撮影支援装置の構成を示すブロック図。
【図３】本発明の実施の形態１に係る撮影支援装置に設けられている撮影者情報データベースのレイアウトの一例を示す図。
【図４】本発明の実施の形態１に係る撮影支援装置に設けられている危険情報データベースのレイアウトの一例を示す図。
【図５】本発明の実施の形態１に係る撮影支援システムが備える撮影支援装置及び携帯電話機が実行する撮影支援処理の手順の一例を示すフローチャート。
【図６】携帯電話機のディスプレイ上に表示される撮影注意画面の一例を示す図。
【図７】本発明の実施の形態１に係る撮影支援システムが備える撮影支援装置及び携帯電話機が実行する撮影支援処理の手順の他の例を示すフローチャート。
【図８】携帯電話機のディスプレイ上に表示される撮影注意画面の他の例を示す図。
【図９】本発明の実施の形態１に係る撮影支援システムが備える撮影支援装置及び携帯電話機が実行する撮像画像投稿処理の手順を示すフローチャート。
【図１０】本発明の実施の形態２に係る撮影支援装置の構成を示すブロック図。
【図１１】本発明の実施の形態２に係る撮影支援装置に設けられている動物危険情報データベースのレイアウトの一例を示す図。
【図１２】本発明の実施の形態２に係る撮影支援装置に設けられている植物危険情報データベースのレイアウトの一例を示す図。
【図１３】本発明の実施の形態２に係る撮影支援装置に設けられている昆虫危険情報データベースのレイアウトの一例を示す図。
【図１４】本発明の実施の形態２に係る撮影支援システムが備える撮影支援装置及び携帯電話機が実行する撮影支援処理の手順の一例を示すフローチャート。
【図１５】動物危険情報を用いて生成された、携帯電話機のディスプレイ上に表示される撮影注意画面の一例を示す図。
【図１６】植物危険情報を用いて生成された、携帯電話機のディスプレイ上に表示される撮影注意画面の一例を示す図。
【図１７】昆虫危険情報を用いて生成された、携帯電話機のディスプレイ上に表示される撮影注意画面の一例を示す図。
【発明を実施するための形態】
【００２１】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００２２】
また、以下では、撮影対象となる生物を動物・植物・昆虫に分けて例示しているが、これは説明の便宜上の分類にすぎず、本発明の技術的思想がこの分類に限定されるわけではない。
【００２３】
（実施の形態１）
［撮影支援システムの構成］
図１は、本発明の実施の形態１に係る撮影支援システムの構成を示すブロック図である。図１に示すとおり、本実施の形態の撮影支援システムは、生物を撮影する場合において当該撮影を支援するための撮影支援装置１Ａと、各撮影者が携行する携帯電話機２，２，…とを備えている。これらの撮影支援装置１Ａ及び携帯電話機２，２，…は、インターネット等の通信ネットワークＮＴＷを介して通信可能に接続されている。ここで、携帯電話機２，２，…は、ＣＣＤ（Charge Coupled Device）又はＣＭＯＳ（Complementary Metal Oxide Semiconductor）等の撮像素子で構成されるカメラを備えている。なお、携帯電話機２，２，…の代わりに、例えば通信機能を有するデジタルスチルカメラ等、通信機能及びカメラ機能を有する他の装置を用いるようにしてもよい。
【００２４】
［撮影支援装置の構成］
以下、上述した撮影支援装置１Ａの詳細な構成について説明する。
図２は、本発明の実施の形態１に係る撮影支援装置１Ａの構成を示すブロック図である。図２に示すとおり、コンピュータ（撮影支援装置）１Ａは、ＣＰＵ１０、ＲＯＭ１１、ＲＡＭ１２、ハードディスク１３、及び通信インタフェース（Ｉ／Ｆ）１４を備えており、これらのＣＰＵ１０、ＲＯＭ１１、ＲＡＭ１２、ハードディスク１３及び通信Ｉ／Ｆ１４は、バス１５によって接続されている。
【００２５】
ＣＰＵ１０は、ＲＡＭ１２にロードされた各種のコンピュータプログラムを実行する。これにより、コンピュータ１が本実施の形態の撮影支援装置１Ａとして機能することになる。
【００２６】
ＲＯＭ１１は、マスクＲＯＭ、ＰＲＯＭ（Programmable ROM）、ＥＰＲＯＭ（Erasable PROM）、又はＥＥＰＲＯＭ（Electrically Erasable PROM）等によって構成されており、ＣＰＵ１０にて実行されるコンピュータプログラム及びその実行の際に用いられるデータ等が記憶されている。
【００２７】
ＲＡＭ１２は、ＳＲＡＭ又はＤＲＡＭなどによって構成されている。このＲＡＭ１２は、ハードディスク１３に記憶されている各種のコンピュータプログラムの読み出し等に用いられる。また、ＣＰＵ１０が各種のコンピュータプログラムを実行するときに、ＣＰＵ１０の作業領域としても利用される。
【００２８】
ハードディスク１３には、オペレーティングシステム及びアプリケーションプログラムなど、ＣＰＵ１０に実行させるための各種のコンピュータプログラム及び当該コンピュータプログラムの実行に用いられるデータ等が予めインストールされている。また、このハードディスク１３には、撮影者に関する撮影者情報が格納される撮影者情報データベース（ＤＢ）１３Ａと、撮影の際に起こり得る危険に関する危険情報が格納される危険情報データベース（ＤＢ）１３Ｂと、各種の生物の画像情報が格納される画像情報データベース（ＤＢ）１３Ｃと、生物の鳴き声等の音声情報が格納される音声情報データベース（ＤＢ）１３Ｄと、各撮影者から投稿される画像情報が格納される投稿画像情報データベース（ＤＢ）１３Ｅとが設けられている。これらの各データベースの詳細については後述する。
【００２９】
さらに、ハードディスク１３には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００３０】
通信Ｉ／Ｆ１４は、通信ネットワークＮＴＷを介して撮影支援装置１Ａが外部の装置と通信するためのインタフェース装置である。撮影支援装置１Ａは、この通信Ｉ／Ｆ１４を介して、携帯電話機２，２，…との間で各種のデータの送受信を行う。
【００３１】
以下、ハードディスク１３に設けられている各データベースの詳細について説明する。
（Ａ）撮影者情報ＤＢ１３Ａ
図３は、本発明の実施の形態１に係る撮影支援装置１Ａに設けられている撮影者情報ＤＢ１３Ａのレイアウトの一例を示す図である。図３に示すように、撮影者情報ＤＢ１３Ａは、撮影者を識別するための撮影者ＩＤが格納される撮影者ＩＤフィールド１０１、撮影者の氏名が格納される氏名フィールド１０２、撮影者の連絡先である電子メールアドレスが格納されるアドレスフィールド１０３、及び撮影者が設定したパスワードが格納されるパスワードフィールド１０４を有している。撮影支援装置１Ａは、上記の撮影者情報を、撮影支援システムの利用を希望する撮影者から取得し、撮影者情報ＤＢ１３Ａに登録する。
【００３２】
（Ｂ）危険情報ＤＢ１３Ｂ
図４は、本発明の実施の形態１に係る撮影支援装置１Ａに設けられている危険情報ＤＢ１３Ｂのレイアウトの一例を示す図である。図４に示すように、危険情報ＤＢ１３Ｂは、撮影を行う地域を識別するための地域ＩＤが格納される地域フィールド２０１、撮影を行う期間を示す情報が格納される期間フィールド２０２、撮影の際に起こり得る危険を示す情報が格納される危険事項フィールド２０３、危険事項に示されている生物等の画像情報のファイル名が格納される画像フィールド２０４、及び同じく生物等の音声情報のファイル名が格納される音声フィールド２０５を有している。
【００３３】
本実施の形態において、危険事項フィールド２０３には、地域フィールド２０１に格納されている地域ＩＤで示される地域において、期間フィールド２０２に格納されている期間中に、生物を撮影対象とした撮影を行う場合に起こり得る危険を示す情報が格納されている。例えば、生物学等の専門家及び地域に詳しい専門家等が、当該地域の当該期間において生物の撮影に際し起こる可能性があると判断した内容及びその危険に対する対処方法等が危険事項として設定され、それを示す情報が危険事項フィールド２０３に格納される。具体例としては、図４に示すように、“繁殖期の気が立ったＡＡＡには近付かないようにする”、“冬ごもり前の気が立ったＢＢＢには近付かないようにする”、及び“毒を持つＣＣＣが足元に現れることがあるので気を付ける”等の情報が危険事項フィールド２０３に格納されている（“ＡＡＡ”、“ＢＢＢ”及び“ＣＣＣ”は特定の動物の名称を示している。）。
【００３４】
このように、本実施の形態においては、起こり得る危険及びその危険に対する対処方法の両方を示す情報が危険事項フィールド２０３に格納されているが、少なくとも起こり得る危険を示す情報が格納されていればよい。
【００３５】
上記の危険情報は、専門家等から収集した情報に基づいて生成され、危険情報ＤＢ１３Ｂに登録される。なお、この危険情報は、専門家から新たに情報を得た場合、及び各撮影者から危険に関する情報（例えば、「○月に○○地域において○○という危険が発生した」等の情報）を収集した場合等に、適宜更新される。
【００３６】
（Ｃ）画像情報ＤＢ１３Ｃ
画像情報ＤＢ１３Ｃには、上記の危険情報の画像フィールド２０４に格納されているファイル名の画像情報が蓄積されている。この画像情報には、生物の撮像画像及び／又は危険事項についての撮像画像並びにその画像の取得日等が含まれている。ここで、危険事項についての撮像画像としては、例えば危険事項が“繁殖期の気が立ったＡＡＡには近付かないようにする”である場合は繁殖期におけるＡＡＡの外観上の特徴を示す撮像画像、同じく“毒を持つＣＣＣが足元に現れることがあるので気を付ける”である場合はＣＣＣが出現しそうな場所を示す撮像画像等が想定される。
【００３７】
（Ｄ）音声情報ＤＢ１３Ｄ
音声情報ＤＢ１３Ｄには、上記の危険情報の音声フィールド２０５に格納されているファイル名の音声情報（例えば、気が立っている場合のＡＡＡの鳴き声等）が蓄積されている。
【００３８】
（Ｅ）投稿画像情報ＤＢ１３Ｅ
投稿画像情報ＤＢ１３Ｅには、後述するようにして撮影者から投稿される撮像画像及びその撮影日時等を含む撮像画像情報が蓄積されている。なお、この投稿画像情報ＤＢ１３Ｅに蓄積されている情報が、画像情報ＤＢ１３Ｃに格納される場合もある。
【００３９】
なお、撮影支援装置１Ａは、危険情報に含まれる地域ＩＤの定義ファイル（以下、「地域定義ファイル」という）をハードディスク１３に格納している。この地域定義ファイルでは、地域ＩＤと、その地域ＩＤにより特定される地域の範囲とが対応付けられている。ここで、地域の範囲は緯度及び経度により規定されている。そのため、ある地点の緯度及び経度が分かれば、地域定義ファイルを参照することにより、その地点がどの地域に属するかを特定することができる。
【００４０】
後述するように、本実施の形態では、撮影者の現在位置がどの地域に属するかを判定し、その地域で起こり得る危険に関する情報を当該撮影者に対して提供する。ここで、地域は、上述したように所定の範囲を有する概念であるため、撮影者は、その範囲内で起こり得る危険に関する情報の提供を受けることになる。
【００４１】
［撮影支援システムの動作］
次に、上述したように構成された本実施の形態の撮影支援システムの動作について、フローチャート等を参照しながら説明する。なお、本実施の形態の撮影支援システムにて実行される主な処理には、（１）撮影者に対して撮影支援を行うための撮影支援処理、及び（２）撮影支援後に撮影者が撮像画像を投稿するための撮像画像投稿処理等がある。以下では、これらの各処理の詳細について説明する。
【００４２】
（１）撮影支援処理
図５は、本発明の実施の形態１に係る撮影支援システムが備える撮影支援装置１Ａ及び携帯電話機２が実行する撮影支援処理の手順の一例を示すフローチャートである。なお、以下では、撮影者が携行している携帯電話機２がＧＰＳ（Global Positioning System）機能を有しており、ＧＰＳ衛星の電波を用いて自位置を特定することができるものとする。
【００４３】
撮影者は、撮影支援装置１Ａによる撮影支援を受けるために、携行している携帯電話機２を用いて撮影支援装置１Ａにアクセスする。例えば、撮影者は、生物が多く生息していると思われる場所等に到達したときに、予め設定されている撮影者ＩＤ及びパスワードを携帯電話機２に入力し、撮影支援装置１Ａに対してログイン処理を試みるよう携帯電話機２に対して指示する。
【００４４】
携帯電話機２は、撮影者から撮影者ＩＤ及びパスワードの入力を受け付けた場合、それらの撮影者ＩＤ及びパスワードを含むログイン情報を撮影支援装置１Ａに対して送信する（Ｓ１０１）。
【００４５】
撮影支援装置１Ａは、携帯電話機２から送信されたログイン情報を受信した場合（Ｓ２０１）、そのログイン情報に基づいてログイン処理を実行する（Ｓ２０２）。このログイン処理では、撮影支援装置１Ａが、撮影者情報ＤＢ１３Ａに格納されている撮影者情報と受信したログイン情報とを照合することによってログインの成否を判定する。ここでは、ログインに成功したものとして説明を続ける。
【００４６】
撮影支援装置１Ａは、ログイン済みの撮影者の現在位置を検知するために、当該現在位置を示す情報の送信依頼を示す位置要求情報を携帯電話機２に対して送信する（Ｓ２０３）。
【００４７】
携帯電話機２は、撮影支援装置１Ａから送信された位置要求情報を受信した場合（Ｓ１０２）、ＧＰＳ機能を用いて携帯電話機２の自位置を示す自位置情報（例えば、緯度・経度・高度を含む情報）を取得し、その自位置情報を撮影支援装置１Ａに対して送信する（Ｓ１０３）。
【００４８】
撮影支援装置１Ａは、携帯電話機２から送信された自位置情報を受信した場合（Ｓ２０４）、その自位置情報に基づいて、撮影者の現在位置を特定する（Ｓ２０５）。次に、撮影支援装置１Ａは、地域定義ファイルを参照してステップＳ２０５で特定した撮影者の現在位置が属する地域を特定し、その地域を示す地域ＩＤが地域フィールド２０１に格納されており、且つ自位置情報の受信日時が属する期間が期間フィールド２０２に格納されている危険情報を危険情報ＤＢ１３Ｂから抽出する（Ｓ２０６）。
【００４９】
次に、撮影支援装置１Ａは、ステップＳ２０６で抽出された危険情報を用いて、撮影者に注意を促すための撮影注意画面を含む撮影注意画面情報を生成し（Ｓ２０７）、その生成した撮影注意画面情報を携帯電話機２に対して送信する（Ｓ２０８）。なお、この送信は、ＨＴＴＰ（Hypertext Transfer Protocol）により行われてもよく、ＳＭＴＰ（Simple Mail Transfer Protocol）等の他の通信プロトコルにより行われてもよい。
【００５０】
携帯電話機２は、撮影支援装置１Ａから送信された撮影注意画面情報を受信した場合（Ｓ１０４）、その受信した撮影注意画面情報で示される撮影注意画面をディスプレイ上に表示する（Ｓ１０５）。
【００５１】
以下、撮影注意画面の例について説明する。図６は、携帯電話機２のディスプレイ上に表示される撮影注意画面の一例を示す図である。図６に示すように、撮影注意画面Ｓ１には、撮影者の現在位置の周辺に生息している動物の名称（図６では“ＡＡＡ”）、その動物について起こり得る危険を示す内容（同じく“この時期、ＡＡＡは、繁殖期に入っているため、気が立っている場合があります”）、及びその危険に対する対処方法（同じく“近付かないように気を付けて下さい”）が示されている。撮影者は、この撮影注意画面Ｓ１を参照することにより、自分が現在いる付近で起こり得る危険及びその対処方法を確認することができる。
【００５２】
図６に示すように、撮影ガイド画面Ｓ１には、画像表示を指示するための画像表示ボタンＢ１及び音声出力を指示するための音声出力ボタンＢ２が設けられている。撮影者は、必要に応じて、携帯電話機２の入力部を用いてこれらのボタンＢ１及びＢ２を押下する。画像表示ボタンＢ１が押下された場合、そのことを示す情報が携帯電話機２から撮影支援装置１Ａに対して送信され、これを受けた撮影支援装置１Ａが、ステップＳ２０６にて抽出した危険情報に示されているファイル名の画像情報を画像情報ＤＢ１３Ｃから抽出し、これを携帯電話機２に対して送信する。このようにして撮影支援装置１Ａから送信された画像情報を受信した携帯電話機２は、その画像情報をディスプレイ上に表示する。これにより、撮影者は、起こり得る危険に係る動物の外観等を視覚的に確認することが可能になる。
【００５３】
また、撮影者によって音声出力ボタンＢ２が押下された場合、撮影支援装置１Ａが上記危険情報に示されているファイル名の音声情報を音声情報ＤＢ１３Ｄから抽出し、これを携帯電話機２に対して送信する。このようにして撮影支援装置１Ａから送信された音声情報を受信した携帯電話機２は、その音声情報をスピーカから出力する。撮影者は、携帯電話機２から出力される動物の鳴き声を確認し、その鳴き声が周囲から聞こえないか注意した上で撮影を行う。
【００５４】
以上の撮影支援処理により、撮影者に対して、その場で起こり得る危険を伝えることができるため、撮影者の注意を喚起することが可能になる。そのため、撮影者は安全に撮影を行うことが可能になる。
【００５５】
なお、本実施の形態では、撮影者が、所定の位置に到達したときに携帯電話機２を用いて撮影支援装置１にアクセスすることにより、撮影支援装置１Ａによる撮影支援を受ける。このように撮影者が自発的に撮影支援装置１Ａにアクセスするのではなく、撮影者が所定の位置に到達したときに、そのことを撮影支援装置１Ａが自動的に検知し、その位置に基づいて上記のステップＳ２０４乃至Ｓ２０８を実行することにより、撮影者を支援するようにしてもよい。この場合、例えば携帯電話機２が適宜のタイミングで位置情報を繰り返し撮影支援装置１Ａに送信し、これを受けた撮影支援装置１Ａが、その位置情報を用いて上記のステップＳ２０４乃至Ｓ２０８を実行するようにすればよい。これによれば、例えば、生物を撮影するのに好適な地点に撮影者が偶然到達したような場合に、当該撮影者が撮影支援を受けること等が可能になる。
【００５６】
上述した連絡先提供処理においては、撮影者の現在位置において起こり得る危険に関する情報を当該撮影者に対して提供しているが、撮影者がこれから向かう位置、すなわち撮影者の将来位置において起こり得る危険に関する情報を提供するようにしてもよい。以下、そのための連絡先提供処理の詳細について説明する。
【００５７】
図７は、本発明の実施の形態１に係る撮影支援システムが備える撮影支援装置１Ａ及び携帯電話機２が実行する撮影支援処理の手順の他の例を示すフローチャートである。なお、この撮影支援処理は、撮影支援装置１Ａが、撮影者が携行する携帯電話機２の自位置情報を当該携帯電話機２から所定の時間間隔で繰り返し受信した後に実行されるものとする。
【００５８】
撮影支援装置１Ａは、携帯電話機２から経時的に受信した複数の自位置情報を用いて、その携帯電話機２の移動方向、すなわち撮影者の移動方向を予測する（Ｓ３０１）。次に、撮影支援装置１Ａは、その予測した移動方向と、撮影者の最新の位置とに基づいて、所定時間経過後の撮影者の将来位置を予測する（Ｓ３０２）。なお、このように、本実施の形態では撮影者の移動履歴に基づいて当該撮影者の将来位置を予測しているが、それ以外の方法により将来位置の予測を行ってもよい。例えば、撮影者の現在位置及びその現在位置における地形等に基づいて当該撮影者の将来位置を予測したり、各撮影者の過去の移動履歴に基づいて当該将来位置を予測したりしてもよい。
【００５９】
次に、撮影支援装置１Ａは、地域定義ファイルを参照してステップＳ３０２で予測した撮影者の将来位置が属する地域を特定し、その地域を示す地域ＩＤが地域フィールド２０１に格納されており、且つ自位置情報の最新の受信日時が属する期間が期間フィールド２０２に格納されている危険情報を危険情報ＤＢ１３Ｂから抽出する（Ｓ３０３）。
【００６０】
次に、撮影支援装置１Ａは、ステップＳ３０３で抽出された危険情報を用いて、撮影者に注意を促すための撮影注意画面を含む撮影注意画面情報を生成し（Ｓ３０４）、その生成した撮影注意画面情報を携帯電話機２に対して送信する（Ｓ３０５）。
【００６１】
携帯電話機２は、撮影支援装置１Ａから送信された撮影注意画面情報を受信した場合（Ｓ４０１）、その受信した撮影注意画面情報で示される撮影注意画面をディスプレイ上に表示する（Ｓ４０２）。これにより、撮影者は、自らがこれから向かう方面で起こり得る危険に関する情報を取得することができる。
【００６２】
図８は、携帯電話機２のディスプレイ上に表示される撮影注意画面の他の例を示す図である。図８に示すように、撮影注意画面Ｓ２には、撮影者の将来位置の周辺に生息している動物の名称（図８では“ＣＣＣ”）、その動物について起こり得る危険を示す内容（同じく“毒を持つ”及び“足元付近に現れる”）、及びその危険に対する対処方法（同じく“気を付けて下さい”）が示されている。撮影者は、この撮影注意画面Ｓ２を参照することにより、自分がこれから向かう方面で起こり得る危険及びその対処方法を事前に確認することができる。
【００６３】
（２）撮像画像投稿処理
撮影者は、上述したようにして撮影支援装置１Ａから提供された起こり得る危険に関する情報を参照した上で、その情報に基づいて危険な状況を回避できるよう気を付けながら、携帯電話機２が備えるカメラにより生物の撮影を行う。
【００６４】
図９は、本発明の実施の形態１に係る撮影支援システムが備える撮影支援装置１Ａ及び携帯電話機２が実行する撮像画像投稿処理の手順を示すフローチャートである。図１１に示すとおり、携帯電話機２は、撮影者の操作により生物を撮影対象とした撮像画像を取得した場合（Ｓ５０１）、その撮像画像及び撮影した日時等を含む撮像画像情報を、撮影支援装置１Ａに対して送信する（Ｓ５０２）。
【００６５】
撮影支援装置１Ａは、携帯電話機２から送信された撮像画像情報を受信した場合（Ｓ６０１）、その撮像画像情報に含まれている撮像画像を投稿画像情報ＤＢ１３Ｅに登録する（Ｓ６０２）。
【００６６】
この撮像画像投稿処理により、撮影支援装置１Ａには、各撮影者から投稿された撮像画像が蓄積されることになる。これらの撮像画像には、例えば生物多様性等の様々な研究において有用なものが含まれている場合がある。このように、本実施の形態によれば、各撮影者の安全を確保した上で、利用価値の高い資料を当該撮影者から取得することが可能になる。
【００６７】
（実施の形態２）
実施の形態２は、撮影者から提供される撮像画像に基づいて起こり得る危険を特定し、その危険に関する情報を撮影者に提供する。本実施の形態においても、実施の形態１の場合と同様に、撮影支援装置と携帯電話機とが協働して処理を行うことにより撮影者に対する撮影支援が行われる。
【００６８】
［撮影支援装置の構成］
図１０は、本発明の実施の形態２に係る撮影支援装置の構成を示すブロック図である。図１０に示すように、本実施の形態の撮影支援装置１Ｂが備えるハードディスク１３には、実施の形態１における危険情報ＤＢ１３Ｂの代わりに、動物危険情報データベース（ＤＢ）１３Ｆ、植物危険情報データベース（ＤＢ）１３Ｇ、及び昆虫危険情報データベース（ＤＢ）１３Ｈが設けられている。これらの各データベースの詳細については後述する。撮影支援装置１Ｂのその他の構成については、撮影者情報ＤＢ１３Ａがハードディスク１３に設けられていないことを除いて、実施の形態１の撮影支援装置１Ａの場合と同様であるため、同一符号を付して説明を省略する。
【００６９】
（Ｆ）動物危険情報ＤＢ１３Ｆ
図１１は、本発明の実施の形態２に係る撮影支援装置１Ｂに設けられている動物危険情報ＤＢ１３Ｆのレイアウトの一例を示す図である。図１１に示すように、動物危険情報ＤＢ１３Ｆは、動物の種類の名称を示す情報が格納される動物種類フィールド３０１、期間が格納される期間フィールド３０２、その動物を撮影する際に起こり得る危険を示す情報が格納される危険事項フィールド３０３、当該動物についての画像情報のファイル名が格納される画像フィールド３０４、及び同じく動物についての音声情報のファイル名が格納される音声フィールド３０５を有している。
【００７０】
（Ｇ）植物危険情報ＤＢ１３Ｇ
図１２は、本発明の実施の形態２に係る撮影支援装置１Ｂに設けられている植物危険情報ＤＢ１３Ｇのレイアウトの一例を示す図である。図１２に示すように、植物危険情報ＤＢ１３Ｇは、植物の種類の名称を示す情報が格納される植物種類フィールド４０１、期間が格納される期間フィールド４０２、その植物を撮影する際に起こり得る危険を示す情報が格納される危険事項フィールド４０３、及び当該植物動物についての画像情報のファイル名が格納される画像フィールド４０４を有している。
【００７１】
（Ｈ）昆虫危険情報ＤＢ１３Ｈ
図１３は、本発明の実施の形態２に係る撮影支援装置１Ｂに設けられている昆虫危険情報ＤＢ１３Ｈのレイアウトの一例を示す図である。図１１に示すように、昆虫危険情報ＤＢ１３Ｈは、昆虫の種類の名称を示す情報が格納される昆虫種類フィールド５０１、期間が格納される期間フィールド５０２、その昆虫を撮影する際に起こり得る危険を示す情報が格納される危険事項フィールド５０３、当該昆虫についての画像情報のファイル名が格納される画像フィールド５０４、及び同じく昆虫についての音声情報のファイル名が格納される音声フィールド５０５を有している。
【００７２】
図１１乃至図１３に示すように、本実施の形態においては、起こり得る危険及びその危険に対する対処方法の両方を示す情報が危険事項フィールド３０３、４０３及び５０３に格納されているが、少なくとも起こり得る危険を示す情報が格納されていればよい。
【００７３】
［撮影支援システムの動作］
図１４は、本発明の実施の形態２に係る撮影支援システムが備える撮影支援装置１Ｂ及び携帯電話機２が実行する撮影支援処理の手順の一例を示すフローチャートである。
【００７４】
撮影者は、登山中及び散歩中等、様々な場面において、携行している携帯電話機２のカメラを用いて生物を被写体として撮影を行う。これにより、携帯電話機２は、図１４に示すように、生物を含む撮像画像を取得する（Ｓ７０１）。次に、撮影者は、その撮像画像を撮影支援装置１Ｂに対して送信するよう、携帯電話機２に指示する。この指示を撮影者から受け付けた場合、携帯電話機２は、ステップＳ６０１にて取得した撮像画像及び撮影日時等を含む撮像画像情報を、撮影支援装置１に対して送信する（Ｓ７０２）。
【００７５】
撮影支援装置１Ｂは、携帯電話機２から送信された撮像画像情報を受信した場合（Ｓ８０１）、撮像画像情報の撮像画像に対してエッジ抽出等の画像解析処理を施すことにより、当該撮像画像に含まれる撮影対象の特徴を抽出する（Ｓ８０２）。次に、撮影支援装置１Ｂは、抽出した特徴に基づいて、撮影対象の生物の分類（本実施の形態では、動物、植物及び昆虫の何れか）及びその種類を特定する（Ｓ８０３）。この場合、種々の特定方法が想定されるが、例えば、画像情報ＤＢ１３Ｃに格納されている画像情報を用いて生物の各種類の照合用画像を予め生成しておき、その照合用画像の特徴とステップＳ８０２で抽出した特徴との照合を行ってそれらの類似度を算出し、その類似度に応じて生物の分類・種類を特定する等の方法により、ステップＳ８０３を実行する。
【００７６】
なお、画像解析により生物の分類及び種類を特定することができなかった場合、撮影支援装置１Ｂは、そのことを示すメッセージを含む情報を携帯電話機２に対して送信し、これを受けた携帯電話機２がそのメッセージをディスプレイ上に表示して、撮影支援処理が終了する。
【００７７】
これ以降、上述したようにして特定した生物の分類に応じて、撮影支援を行うために撮影者に提供する情報が生成されることになる。
まず、撮影支援装置１Ｂは、ステップＳ８０３にて特定した分類が動物であるか否かを判定し（Ｓ８０４）、動物ではないと判定した場合（Ｓ８０４でＮＯ）、ステップＳ８０６に進む。他方、動物であると判定した場合（Ｓ８０４でＹＥＳ）、撮影支援装置１Ｂは、ステップＳ８０３にて特定した種類の名称が動物種類フィールド３０１に格納されており、且つステップＳ８０１における撮像画像情報の受信日時が属する期間が期間フィールド３０２に格納されている動物危険情報を、動物危険情報ＤＢ１３Ｆから抽出する（Ｓ８０５）。
【００７８】
また、撮影支援装置１Ｂは、ステップＳ８０３にて特定した分類が植物であるか否かを判定し（Ｓ８０６）、植物ではないと判定した場合（Ｓ８０６でＮＯ）、ステップＳ８０８に進む。他方、植物であると判定した場合（Ｓ８０６でＹＥＳ）、撮影支援装置１Ｂは、ステップＳ８０３にて特定した種類の名称が植物種類フィールド４０１に格納されており、且つステップＳ８０１における撮像画像情報の受信日時が属する期間が期間フィールド４０２に格納されている植物危険情報を、植物危険情報ＤＢ１３Ｇから抽出する（Ｓ８０７）。
【００７９】
さらに、撮影支援装置１Ｂは、ステップＳ８０３にて特定した分類が昆虫であるか否かを判定し（Ｓ８０８）、昆虫ではないと判定した場合（Ｓ８０８でＮＯ）、ステップＳ８１０に進む。他方、昆虫であると判定した場合（Ｓ８０８でＹＥＳ）、撮影支援装置１Ｂは、ステップＳ８０３にて特定した種類の名称が昆虫種類フィールド５０１に格納されており、且つステップＳ８０１における撮像画像情報の受信日時が属する期間が期間フィールド５０２に格納されている昆虫危険情報を、昆虫危険情報ＤＢ１３Ｈから抽出する（Ｓ８０９）。
【００８０】
次に、撮影支援装置１Ｂは、ステップＳ８０５で抽出した動物危険情報、ステップＳ８０７で抽出した植物危険情報、又はステップＳ８０９で抽出した昆虫危険情報を用いて、撮影者に注意を促すための撮影注意画面を含む撮影注意画面情報を生成し（Ｓ８１０）、その生成した撮影注意画面情報を携帯電話機２に対して送信する（Ｓ８１１）。
【００８１】
なお、ステップＳ８０８において、ステップＳ８０３にて特定した分類が昆虫ではないと判定した場合（Ｓ８０８でＮＯ）、撮影支援装置１Ｂは、特定された生物に関する危険情報が登録されていないことを示す撮影注意画面情報を生成し、これを携帯電話機２に対して送信することになる。
【００８２】
携帯電話機２は、撮影支援装置１Ｂから送信された撮影注意画面情報を受信した場合（Ｓ７０３）、その受信した撮影注意画面情報で示される撮影注意画面をディスプレイ上に表示する（Ｓ７０４）。
【００８３】
以下、撮影注意画面の例について、動物、植物及び昆虫の生物分類別に説明する。
図１５は、動物危険情報を用いて生成された、携帯電話機２のディスプレイ上に表示される撮影注意画面の一例を示す図である。図１５に示すように、撮影注意画面Ｓ３には、撮影者が撮影した動物の種類の名称（図１５では“ＡＡＡ”）、その動物について起こり得る危険を示す内容（同じく“この時期、ＡＡＡは、繁殖期に入っているため、気が立っている場合があります”）、及びその危険に対する対処方法（同じく“近付かないように気を付けて下さい”）が示されている。撮影者は、この撮影注意画面Ｓ３を参照することにより、自分が撮影した動物の種類の名称を知ることができ、さらに、その動物について起こり得る危険及びその対処方法を確認することができる。
【００８４】
また、図１６は、植物危険情報を用いて生成された、携帯電話機２のディスプレイ上に表示される撮影注意画面の一例を示す図である。図１６に示すように、撮影注意画面Ｓ４には、撮影者が撮影した植物の種類の名称（図１６では“ＤＤＤ”）、その植物について起こり得る危険を示す内容（同じく“かぶれる危険がある”）、及びその危険に対する対処方法（同じく“触らないようにして下さい”）が示されている。撮影者は、この撮影注意画面Ｓ４を参照することにより、自分が撮影した植物の種類の名称を知ることができ、さらに、その植物について起こり得る危険及びその対処方法を確認することができる。
【００８５】
さらに、図１７は、昆虫危険情報を用いて生成された、携帯電話機２のディスプレイ上に表示される撮影注意画面の一例を示す図である。図１７に示すように、撮影注意画面Ｓ５には、撮影者が撮影した昆虫の種類の名称（図１６では“ＥＥＥ”）、その昆虫について起こり得る危険を示す内容（同じく“毒を持っている”）、及びその危険に対する対処方法（同じく“近付けないように気を付けて下さい”）が示されている。撮影者は、この撮影注意画面Ｓ５を参照することにより、自分が撮影した昆虫の種類の名称を知ることができ、さらに、その昆虫について起こり得る危険及びその対処方法を確認することができる。
【００８６】
なお、図１５乃至図１７に示すように、撮影注意画面Ｓ３及びＳ５には画像表表示ボタンＢ１及び音声出力ボタンＢ２が、撮影注意画面Ｓ４には画像表示ボタンＢ１がそれぞれ表示されている。これらのボタン及びその機能については、実施の形態１の場合と同様であるため、説明を省略する。
【００８７】
（その他の実施の形態）
上記の各実施の形態では、危険情報に含まれる危険事項として、撮影対象の生物に直接的に関係する内容（例えば、撮影対象であるＡＡＡが繁殖期にあるため気が立っている等）が示されているが、当該生物について間接的に関係する内容であってもよい。そのような例としては、「ＡＡＡが生息している近くには足元がぬかるんでいることが多いため、滑らないように気を付ける。」（この場合、ぬかるんでいる場所を示す画像情報を撮影者に提供する）、「ＡＡＡを捕食するＺＺＺが近くにいる場合がある。ＺＺＺはどう猛であるため、近付かないようにする。」（この場合、ＺＺＺの外観を示す画像情報及びＺＺＺの鳴き声の音声情報を撮影者に提供する）等が挙げられる。
【００８８】
また、上記の各実施の形態において、危険情報における画像フィールド及び音声フィールドには、危険事項についての生物の画像情報及び音声情報（例えば、繁殖期にある気が立ったＡＡＡの画像情報及び音声情報等）のファイル名がそれぞれ格納されているが、これと併せて、安全な状態における当該生物の画像情報及び音声情報（例えば、繁殖期ではない通常の状態におけるＡＡＡの画像情報及び音声情報等）のファイル名が格納されていてもよい。これにより、同じ生物について、危険な状態にある場合の外観及び鳴き声等と、安全な状態にある場合の外観及び鳴き声等とを、撮影者に対して提供することができる。その結果、撮影者は、両状態を対比して確認することができるため、危険事項をより明確に把握することが可能になる。
【００８９】
また、上記の各実施の形態では、撮影支援装置１Ａ，１Ｂと携帯電話機２とが別装置となっているが、上述した撮影支援装置１Ａ，１Ｂの構成を携帯電話機２が備えることにより、携帯電話機２単体で撮影者の撮影支援を行うことができるようにしてもよい。
【産業上の利用可能性】
【００９０】
本発明の撮影支援装置及び撮影支援方法は、様々な生物を撮影対象とする場合において撮影支援を行う撮影支援装置及び撮影支援方法等として有用である。
【符号の説明】
【００９１】
１Ａ，１Ｂ  撮影支援装置
１０  ＣＰＵ
１１  ＲＯＭ
１２  ＲＡＭ
１３  ハードディスク
１３Ａ  撮影者情報データベース
１３Ｂ  危険情報データベース
１３Ｃ  画像情報データベース
１３Ｄ  音声情報データベース
１３Ｅ  投稿画像情報データベース
１３Ｆ  動物危険情報データベース
１３Ｇ  植物危険情報データベース
１３Ｈ  昆虫危険情報データベース
１４  通信インタフェース
１５  バス
２  携帯電話機
Ｂ１  画像表示ボタン
Ｂ２  音声出力ボタン
Ｓ１〜Ｓ５  撮影注意画面
【図１】
0005735325.tif 000002
【図２】
0005735325.tif 000003
【図３】
0005735325.tif 000004
【図４】
0005735325.tif 000005
【図５】
0005735325.tif 000006
【図６】
0005735325.tif 000007
【図７】
0005735325.tif 000008
【図８】
0005735325.tif 000009
【図９】
0005735325.tif 000010
【図１０】
0005735325.tif 000011
【図１１】
0005735325.tif 000012
【図１２】
0005735325.tif 000013
【図１３】
0005735325.tif 000014
【図１４】
0005735325.tif 000015
【図１５】
0005735325.tif 000016
【図１６】
0005735325.tif 000017
【図１７】
0005735325.tif 000018